(57)【特許請求の範囲】
【請求項１】
処理機能を有する複数の付属装置を実装可能に構成された後処理装置を有する画像形成装置において、
前記後処理装置は、前記複数の付属装置の処理機能を個別に有効にするか無効するかを設定するために操作される設定スイッチと、
前記複数の付属装置の処理機能がそれぞれ有効に設定されているか無効に設定されているかを検出する設定状態検出および前記複数の付属装置に対してそれぞれの実装の有無を検出する実装状態検出を行うコントローラと、
前記複数の付属装置毎に設けられ、実装されている付属装置を経由して前記設定スイッチと前記コントローラの入力ポートとを接続する複数の信号経路と、
前記設定スイッチの設定状態が前記複数の信号経路を介して前記コントローラへ伝達される状態と伝達されない状態とを前記コントローラからの信号に基づいて切り換える切り換えスイッチと、
前記付属装置の処理機能の有効或いは無効の設定及び前記付属装置の実装の有無と前記設定スイッチの状態、前記切り換えスイッチの状態及び前記入力ポートの電圧レベルのデータとを対応させて記憶したテーブルと、を備え、
前記切り換えスイッチにより前記設定スイッチの設定状態が前記複数の信号経路を介して前記コントローラへ伝達される状態に切り換えられているときには、前記設定スイッチにより前記付属装置の処理機能が有効に設定されている場合と無効に設定されている場合とで前記信号経路が接続される入力ポートの電圧レベルが変化するものであり、
前記切り換えスイッチにより前記設定スイッチの設定状態が前記複数の信号経路を介して前記コントローラへ伝達されない状態に切り換えられているときには、前記設定スイッチの設定状態に関係なく前記付属装置が実装されている場合と実装されていない場合とで前記信号経路が接続される入力ポートの電圧レベルが変化するものであり、
前記コントローラは、前記設定スイッチの設定状態が前記複数の信号経路を介して前記コントローラへ伝達される状態になるよう前記切り換えスイッチを切り換えた場合の前記入力ポートの電圧レベルの検出結果と、前記設定スイッチの設定状態が前記複数の信号経路を介して前記コントローラへ伝達されない状態になるよう前記切り換えスイッチを切り換えた場合の前記入力ポートの電圧レベルの検出結果と前記テーブルのデータとを照合することにより前記複数の付属装置の処理機能がそれぞれ有効に設定されているか無効に設定されているか及び前記複数の付属装置のそれぞれが実装されているか否かを判別し、
前記設定スイッチにより処理機能が有効に設定され、実装されていると判別された付属装置を用いた後処理を選択可能にすることを特徴とする画像形成装置。
【請求項２】
前記設定スイッチにより処理機能が無効に設定された付属装置への電力供給を停止する電力供給制御手段を有することを特徴とする請求項１記載の画像形成装置。
【請求項３】
前記電力供給制御手段は、前記設定スイッチにより処理機能が無効に設定された付属装置の信号経路の信号に基づいて前記処理機能が無効に設定された付属装置への電力供給を停止する指示を出力することを特徴とする請求項２記載の画像形成装置。
【発明の詳細な説明】
【０００１】
【発明の属する技術分野】
本発明は、後処理装置を有する画像形成装置に関する。
【０００２】
【従来の技術】
画像形成装置により画像が形成された用紙に所定の後処理を施す後処理装置として、画像形成装置から出力される用紙を一時的に蓄え、それを整合して綴じ処理を施すフィニッシャがある。この綴じ処理における処理形態は様々であり、この綴じ処理には、用紙束の端部を綴じるステイプル処理、用紙束の中心ラインを綴じた後に山折りにしてパンフレットのような綴じ形態を行う製本処理などがある。また、用紙束に表表紙や裏表紙を付けるためのインサータ機能、用紙をＺ折りにして出力するＺ折り機能、バインダに綴じるための穴を用紙の端部に開けるパンチ機能などが後処理として挙げられる。最近では、これら複数の機能を実現可能な多機能型後処理装置が普及しつつある。
【０００３】
このような多機能型後処理装置は、一般的には、特定の後処理を行う機構をユニット化し、各ユニットを組み合わせて所望の機能を選択することが可能なように製品化されている。
【０００４】
このようなユニット化された構成においては、各ユニットの実装の有無をそれぞれ検出する実装状態検出回路が必要であるとともに、各ユニットの１つに故障などのトラブルが発生してこのユニットによる処理機能を実行することができなくなった場合に、不具合を起こしたユニットの処理機能を切り離し、動作可能なユニットの処理機能のみをユーザに使用させることによって後処理装置のダウンタイムを低減するための機能切離機構が搭載されている。この機能切離機構は、複数のユニットに対してそれぞれの処理機能を個別に有効または無効に設定するための機構であり、この処理機能の有効または無効を設定することによって、有効に設定された処理機能のみを用いた後処理が実行可能になる。この有効、無効の設定は設定状態検出回路により検出される。
【０００５】
このような実装状態検出回路、機能切離機構および設定状態検出回路について図９を参照しながら説明する。図９は従来の後処理装置における実装状態検出回路、機能切離機構および設定状態検出回路の構成を示すブロック図である。
【０００６】
後処理装置においては、例えば図９に示すように、画像形成装置から出力された用紙をサンプトレイ上に積載するためのサンプルトレイユニット３０３０、バインダに綴じるための穴を用紙の端部に開けるためのパンチャユニット３０４０、用紙の表表紙、裏表紙などの特殊用紙を用紙束中に挿入するためのインサータユニット３０５０、Ｚ折りするための折り機ユニット３０６０、用紙束の中心ラインを綴じた後に山折りにしてパンフレットのような綴じ形態を行う製本処理を行うためのサドルステッチャユニット３０７０の各ユニットに区分され、各ユニットの処理機能に対する有効または無効は機能切離ＳＷ部３０１０により設定される。
【０００７】
機能切離ＳＷ部３０１０には、５極のデイップスイッチ３０１１が設けられている。デイップスイッチ３０１１は、各ユニット３０３０〜３０７０に対してそれぞれの処理機能を有効または無効に設定するための複数のスイッチＳＷ１〜ＳＷ５から構成されている。デイップスイッチ３０１１の各スイッチＳＷ１〜ＳＷ５においては、その一方の端子が信号ケーブル３０８０の信号線３０８１〜３０８５を介して各ユニット３０３０〜３０７０のコネクタ３０３１，３０４１、３０５１，３０６１，３０７１の一方の端子にそれぞれ接続され、他方の端子はグランドに接続される。通常物理的に接続されているユニットに対しては、このユニットに対応するスイッチが閉じられているが、故障などの要因により機能を実行することができないユニットに対しては、このユニットの処理機能を無効に設定するために、対応するスイッチが開かれる。
【０００８】
各ユニット３０３０〜３０７０のコネクタ３０３１，３０４１、３０５１，３０６１，３０７１の他方の端子は対応する信号ケーブル３１００の信号線３１０１〜３１０５を介して対応するユニット検出回路３００２の入力ポートＰｉｎａ〜Ｐｉｎｅに接続される。ここで、信号ケーブル３１００の信号線３１０１〜３１０５には、抵抗を介して定電圧電源Ｖｒが接続されている。これにより、ユニット検出回路３００２においては、各入力ポートＰｉｎａ〜Ｐｉｎｅが対応する信号線３１０１〜３１０５、コネクタ３０３１，３０４１、３０５１，３０６１，３０７１、および信号線３０８１〜３０８５を介して対応するデイップスイッチＳＷ１〜ＳＷ５に接続され、ユニット検出回路３００２は、各入力ポートＰｉｎａ〜Ｐｉｎｅに入力される信号の電圧レベルに基づき各ユニット３０３０〜３０７０の処理機能に対する有効、無効の設定を検出する。
【０００９】
ここで、例えば、サンプルトレイユニット３０３０が物理的に接続されている状態でスイッチＳＷ１が閉じられているときには、ユニット検出回路３００２の入力ポートＰｉｎａに入力される信号のレベルがグランド電位にほぼ等しいＬレベルになり、このレベルによりサンプルトレイユニット３０３０の処理機能が有効に設定されることが検出される。これに対し、サンプルトレイユニット３０３０が物理的に接続されている状態でスイッチＳＷ１が開かれているときには、ユニット検出回路３００２の入力ポートＰｉｎａに入力される信号のレベルが定電圧電源Ｖｒの電圧にほぼ等しいＨレベルになり、このレベルによりサンプルトレイユニット３０３０の処理機能が無効に設定されることが検出される。
【００１０】
ユニット検出回路３００２は、コントローラ部３０００内に設けられている。コントローラ部３０００は、後処理装置全体の制御を行うとともに、ユニット検出回路３００２の検出結果に基づき各ユニット３０３０〜３０７０に対する処理機能の有効、無効の設定を判別するＣＰＵ３００９を有する。
【００１１】
また、ＣＰＵ３００９は、複数の入力ポートＰｉｎＡ〜ＰｉｎＥを有し、各入力ポートＰｉｎＡ〜ＰｉｎＥは、対応する信号ケーブル３０９０の信号線３０９１〜３０９５を介して対応するユニット３０３０〜３０７０に接続される。ここで、信号ケーブル３０９０の各信号線３０９１〜３０９５には、抵抗を介して定電圧電源Ｖｒが接続されている。これにより、ＣＰＵ３００９は、各入力ポートＰｉｎＡ〜ＰｉｎＥに入力される信号の電圧レベルに基づき各ユニット３０３０〜３０７０の実装の有無を検出する。ここで、例えば物理的に接続されているユニットに関しては、そのユニット３０３０の信号ケーブル３０９０の信号線との接続端子が例えばグランドに接続され、ＣＰＵ３００９の対応する入力ポートにはグランド電位にほぼ等しいレベルの電圧が入力され、この電圧レベルによりＣＰＵ３００９は、物理的に接続されているユニットを検出することができる。これに対し、物理的に接続されていないユニットに関しては、この物理的に接続されていないユニットの接続端子と対応する信号ケーブル３０９０の信号線とは接続されないから、この３００９の対応する入力ポートには、定電圧電源Ｖｒの電圧にほぼ等しい電圧（Ｈレベル）が入力され、この電圧レベルによりＣＰＵ３００９は物理的に接続されていないユニットがいずれのユニットであるかを判別することができる。
【００１２】
【発明が解決しようとする課題】
しかし、このような多機能型後処理装置においては、各ユニットの処理機能の有効、無効を設定するための機能切離ＳＷ部３０１０、各ユニットの有効、無効の設定状態を検出するためのユニット検出回路３００２、実装状態を検出するためのコントローラ部３０００に対して、各ユニットの数に相当する数の入力ポートおよびスイッチを設ける必要があるから、各ユニットの数の増大に伴いユニット検出回路３００２、コントローラ部３０００、機能切離ＳＷ部３０１０の回路規模が大きくなり、ひいては装置全体のコストアップを招く。また、同時に機能切離ＳＷ部３０１０、ユニット検出回路３００２、コントローラ部３０００のそれぞれと各ユニット３０３０〜３０７０間をそれぞれ接続するための各信号ケーブル３０８０，３０９０，３１００に含まれる信号線の数が増すことになる。これにより、コストアップを招くとともに、各ユニットに至る各信号ケーブル３０８０，３０９０，３１００の信号線の配線経路を複雑化する恐れがある。
【００１３】
本発明の目的は、付属装置の数の増加に起因するコストアップを招くことなく、付属装置に対する処理機能の有効、無効の設定および実装状態の検出を行うことができる画像形成装置を提供することにある。
【００１４】
【課題を解決するための手段】
本発明は、処理機能を有する複数の付属装置を実装可能に構成された後処理装置を有する画像形成装置において、前記後処理装置は、前記複数の付属装置の処理機能を個別に有効にするか無効するかを設定するために操作される設定スイッチと、前記複数の付属装置の処理機能がそれぞれ有効に設定されているか無効に設定されているかを検出する設定状態検出および前記複数の付属装置に対してそれぞれの実装の有無を検出する実装状態検出を行うコントローラと、前記複数の付属装置毎に設けられ、実装されている付属装置を経由して前記設定スイッチと前記コントローラの入力ポートとを接続する複数の信号経路と、前記設定スイッチの設定状態が前記複数の信号経路を介して前記コントローラへ伝達される状態と伝達されない状態とを前記コントローラからの信号に基づいて切り換える切り換えスイッチと、前記付属装置の処理機能の有効或いは無効の設定及び前記付属装置の実装の有無と前記設定スイッチの状態、前記切り換えスイッチの状態及び前記入力ポートの電圧レベルのデータとを対応させて記憶したテーブルと、を備え、前記切り換えスイッチにより前記設定スイッチの設定状態が前記複数の信号経路を介して前記コントローラへ伝達される状態に切り換えられているときには、前記設定スイッチにより前記付属装置の処理機能が有効に設定されている場合と無効に設定されている場合とで前記信号経路が接続される入力ポートの電圧レベルが変化するものであり、前記切り換えスイッチにより前記設定スイッチの設定状態が前記複数の信号経路を介して前記コントローラへ伝達されない状態に切り換えられているときには、前記設定スイッチの設定状態に関係なく前記付属装置が実装されている場合と実装されていない場合とで前記信号経路が接続される入力ポートの電圧レベルが変化するものであり、前記コントローラは、前記設定スイッチの設定状態が前記複数の信号経路を介して前記コントローラへ伝達される状態になるよう前記切り換えスイッチを切り換えた場合の前記入力ポートの電圧レベルの検出結果と、前記設定スイッチの設定状態が前記複数の信号経路を介して前記コントローラへ伝達されない状態になるよう前記切り換えスイッチを切り換えた場合の前記入力ポートの電圧レベルの検出結果と前記テーブルのデータとを照合することにより前記複数の付属装置の処理機能がそれぞれ有効に設定されているか無効に設定されているか及び前記複数の付属装置のそれぞれが実装されているか否かを判別し、前記設定スイッチにより処理機能が有効に設定され、実装されていると判別された付属装置を用いた後処理を選択可能にすることを特徴とする。
【００３１】
【発明の実施の形態】
以下に本発明の実施の形態について図を参照しながら説明する。
【００３２】
図１は本発明の後処理装置の実施の一形態を含む画像形成装置の全体構成を示す模式図である。
【００３３】
画像形成装置１０００は、図１に示すように、原稿画像を読み取るイメージリーダ２００およびプリンタ３００から構成される画像形成装置本体と、折り装置４００と、フィニッシャ５００とを備える。
【００３４】
イメージリーダ２００には、原稿給送装置１００が搭載されている。原稿給送装置１００は、原稿トレイ上に上向きにセットされた原稿Ｐを先頭頁から順に１枚づつ左方向へ給紙し、湾曲したパスを介してプラテンガラス１０２上を左から流し読取り位置を経て右へ搬送し、その後外部の排紙トレイ１１２に向けて排出する。この原稿がプラテンガラス１０２上の流し読取り位置を左から右へ向けて通過するときに、この原稿画像は流し読取り位置に対応する位置に保持されたスキャナユニット１０４により読み取られる。この読取り方法は、一般的に、原稿流し読みと呼ばれる方法である。具体的には、原稿が流し読取り位置を通過する際に、原稿の読取り面がスキャナユニット１０４のランプ１０３の光で照射され、その原稿からの反射光がミラー１０５、１０６、１０７を介してレンズ１０８に導かれる。このレンズ１０８を通過した光は、イメージセンサ１０９の撮像面に結像する。
【００３５】
このように流し読取り位置を左から右へ通過するように原稿を搬送することによって、原稿の搬送方向に対して直交する方向を主走査方向とし、搬送方向を副走査方向とする原稿読取り走査が行われる。すなわち、原稿が流し読取り位置を通過する際に主走査方向に原稿画像を１ライン毎にイメージセンサ１０９で読み取りながら、原稿を副走査方向に搬送することによって原稿画像全体の読取りが行われ、光学的に読み取られた画像はイメージセンサ１０９によって画像データに変換されて出力される。イメージセンサ１０９から出力された画像データは、後述する画像信号制御部２０２において所定の処理が施された後にプリンタ３００の露光制御部１１０にビデオ信号として入力される。
【００３６】
なお、原稿給送装置１００により原稿をプラテンガラス１０２上に搬送して所定位置に停止させ、この状態でスキャナユニット１０４を左から右へ走査させることにより原稿を読み取ることも可能である。この読取り方法は、いわゆる原稿固定読みと呼ばれる方法である。
【００３７】
原稿給送装置１００を使用しないで原稿を読み取るときには、まず、ユーザにより原稿給送装置１００を持ち上げてプラテンガラス１０２上に原稿を載置し、そして、スキャナユニット１０４を左から右へ走査させることにより原稿の読取りを行う。すなわち、原稿給送装置１００を使用しないで原稿を読み取るときには、原稿固定読みが行われることになる。
【００３８】
プリンタ３００の露光制御部１１０は、入力されたビデオ信号に基づきレーザ光を変調して出力し、該レーザ光はポリゴンミラーなどにより走査されながら感光ドラム１１１上に照射される。感光ドラム１１１には走査されたレーザ光に応じた静電潜像が形成される。この感光ドラム１１１上の静電潜像は、現像器１１３から供給される現像剤によって現像剤像として可視像化される。また、レーザ光の照射開始と同期したタイミングで、各カセット１１４，１１５、手差給紙部１２５または両面搬送パス１２４から用紙が給紙され、この用紙は感光ドラム１１１と転写部１１６との間に搬送される。感光ドラム１１１に形成された現像剤像は転写部１１６により給紙された用紙上に転写される。
【００３９】
現像剤像が転写された用紙は定着部１１７に搬送され、定着部１１７は用紙を熱圧することによって現像剤像を用紙上に定着させる。定着部１１７を通過した用紙はフラッパ１２１および排出ローラ１１８を経てプリンタ３００から外部（折り装置４００）に向けて排出される。
【００４０】
ここで、用紙をその画像形成面が下向きになる状態（フェイスダウン）で排出するときには、定着部１１７を通過した用紙をフラッパ１２１の切換動作により一旦反転パス１２２内に導き、その用紙の後端がフラッパ１２１を通過した後に、用紙をスイッチバックさせて排出ローラ１１８によりプリンタ３００から排出する。以下、この排紙形態を反転排紙と呼ぶ。この反転排紙は、原稿給送装置１００を使用して読み取った画像を形成するときまたはコンピュータから出力された画像を形成するときなどのように先頭頁から順に画像形成するときに行われ、その排紙後の用紙順序は正しい頁順になる。
【００４１】
また、手差給紙部１２５からはＯＨＰシートなどの硬い用紙が給紙され、この用紙に画像を形成するときには、用紙を反転パス１２２に導くことなく、画像形成面を上向きにした状態（フェイスアップ）で排出ローラ１１８により排出する。
【００４２】
さらに、用紙の両面に画像形成を行う両面記録が設定されている場合には、フラッパ１２１の切換動作により用紙を反転パス１２２に導いた後に両面搬送パス１２４へ搬送し、両面搬送パス１２４へ導かれた用紙を上述したタイミングで感光ドラム１１１と転写部１１６との間に再度給紙する制御が行われる。
【００４３】
プリンタ３００から排出された用紙は折り装置４００に送られる。この折り装置４００は、用紙をＺ形に折りたたむ処理を行う。例えば、Ａ３サイズやＢ４サイズのシートでかつ折り処理が指定されているときには、折り装置４００で折り処理を行い、それ以外の場合、プリンタ３００から排出された用紙は折り装置４００を通過してフィニッシャ５００に送られる。このフィニッシャ５００には、画像が形成された用紙に挿入するための表紙、合紙などの特殊用紙を給送するインサータ９００が設けられている。フィニッシャ５００では、製本処理、綴じ処理や穴あけなどの各処理を行う。
【００４４】
次に、本画像形成装置全体の制御を司るコントローラの構成について図２を参照しながら説明する。図２は図１の画像形成装置全体の制御を司るコントローラの構成を示すブロック図である。
【００４５】
コントローラは、図２に示すように、ＣＰＵ回路部１５０を有し、ＣＰＵ回路部１５０は、ＣＰＵ（図示せず）、通信ＩＣ（図示せず）、ＲＯＭ１５１、ＲＡＭ１５２を内蔵し、ＲＯＭ１５１に格納されている制御プログラムにより各ブロック１０１，１５３，２０１，２０２，２０９，３０１，４０１，５０１を総括的に制御する。ＲＡＭ１５２は、制御データを一時的に保持し、また制御に伴う演算処理の作業領域として用いられる。
【００４６】
原稿給送装置制御部１０１は、原稿給送装置１００をＣＰＵ回路部１５０からの指示に基づき駆動制御する。イメージリーダ制御部２０１は、上述のスキャナユニット１０４、イメージセンサ１０９などに対する駆動制御を行い、イメージセンサ１０９から出力されたアナログ画像信号を画像信号制御部２０２に転送する。
【００４７】
画像信号制御部２０２は、イメージセンサ１０９からのアナログ画像信号をデジタル信号に変換した後に各処理を施し、このデジタル信号をビデオ信号に変換してプリンタ制御部３０１に出力する。また、コンピュータ２１０から外部Ｉ／Ｆ２０９を介して入力されたデジタル画像信号に各種処理を施し、このデジタル画像信号をビデオ信号に変換してプリンタ制御部３０１に出力する。この画像信号制御部２０２による処理動作は、ＣＰＵ回路部１５０により制御される。プリンタ制御部３０１は、入力されたビデオ信号に基づき上述の露光制御部１１０を駆動する。
【００４８】
操作部１５３は、画像形成に関する各種機能を設定する複数のキー、設定状態を示す情報を表示するための表示部などを有し、各キーの操作に対応するキー信号をＣＰＵ回路部１５０に出力するとともに、ＣＰＵ回路部１５０からの信号に基づき対応する情報を表示部に表示する。
【００４９】
折り装置制御部４０１は折り装置４００に搭載され、ＣＰＵ回路部１５０と情報のやり取りを行うことによって折り装置全体の駆動制御を行う。
【００５０】
フィニッシャ制御部５０１はフィニッシャ５００に搭載され、ＣＰＵ回路部１５０と情報のやり取りを行うことによってフィニッシャ全体の駆動制御を行う。この制御内容については後述する。
【００５１】
次に、折り装置４００およびフィニッシャ５００の構成について図３および図４を参照しながら説明する。図３は図１の折り装置４００およびフィニッシャ５００の構成を示す図、図４は図１の折り装置４００およびフィニッシャ５００を処理機能毎に複数のユニット分割した例を示す図である。
【００５２】
折り装置４００は、図３に示すように、プリンタ３００から排出された用紙を導入し、フィニッシャ５００側に導くための折り搬送水平パス４０２を有する。折り搬送水平パス４０２上には、搬送ローラ対４０３および搬送ローラ対４０４が設けられている。また、折り搬送水平パス４０２の出口部（フィニッシャ５００側）には、折りパス選択フラッパ４１０が設けられている。この折りパス選択フラッパ４１０は、折り搬送水平パス４０２上の用紙を折りパス４２０またはフィニッシャ側５００に導くための切換動作を行う。
【００５３】
ここで、折り処理を行う場合には、折りパス選択フラッパ４１０がオンされ、用紙が折りパス４２０に導かれる。折りパス４２０に導かれた用紙は、折りローラ４２１まで搬送されてＺ形に折りたたまれる。これに対し、折り処理を行わない場合には、折りパス選択フラッパ４１０がオフされ、用紙はプリンタ３００から折り搬送水平パス４０２を介してフィニッシャ５００に直接に送られる。
【００５４】
フィニッシャ５００は、折り装置４００を介して排出された用紙を順に取り込み、取り込んだ複数の用紙を整合して１つの束に束ねる処理、束ねた用紙束の後端をステイプルで綴じるステイプル処理、取り込んだ用紙の後端付近に孔あけをするパンチ処理、ソート処理、ノンソート処理、製本処理などの各シート後処理を行う。
【００５５】
フィニッシャ５００は、図３に示すように、プリンタ３００から折り装置４００を介して排出された用紙を内部に導くための入口ローラ対５０２を有する。この入口ローラ対５０２の下流には、用紙をフィニッシャパス５５２または第１製本パス５５３に導くための切換フラッパ５５１が設けられている。
【００５６】
フィニッシャパス５５２に導かれた用紙は、搬送ローラ対５０３を介してバッファローラ５０５に向けて送られる。搬送ローラ対５０３とバッファローラ５０５は、正逆転可能に構成されている。
【００５７】
入口ローラ対５０２と搬送ローラ対５０３間には、入口センサ５３１が設けられている。また、入口センサ５３１の用紙搬送方向上流近傍においては、第２製本パス５５４がフィニッシャパス５５２から分岐している。以下、この分岐点を分岐Ａと呼ぶ。この分岐Ａは、入口ローラ対５０２から搬送ローラ対５０３に用紙を搬送するための搬送路への分岐を成すが、搬送ローラ対５０３が逆転して用紙を搬送ローラ対５０３側から入口センサ５３１側に搬送する際には、第２製本パス５５４側のみに搬送されるワンウェイ機構を有する分岐を成す。
【００５８】
搬送ローラ対５０３とバッファローラ５０５間には、パンチ５５０が設けられており、パンチ５５０は必要に応じて動作し、搬送されてきた用紙の後端付近に穿孔する。
【００５９】
バッファローラ５０５は、その外周に送られた用紙を所定枚数積層して巻き付け可能なローラであって、必要に応じてこのローラの外周には各押下コロ５１２，５１３，５１４により巻き付けられる。バッファローラ５０５に巻き付けられた用紙はバッファローラ５０５の回転方向に搬送される。
【００６０】
押下コロ５１３，５１４間には切換フラッパ５１０が配置されており、押下コロ５１４の下流には切換フラッパ５１１が配置されている。切換フラッパ５１０はバッファローラ５０５に巻き付けられた用紙をバッファローラ５０５から剥離してノンソートパス５２１、またはソートパス５２２に導くためのフラッパであり、切換フラッパ５１１はバッファローラ５０５に巻き付けられた用紙をバッファローラ５０５から剥離してソートパス５２２に、またはバッファローラ５０５に巻き付けられた用紙を巻き付けられた状態でバッファパス５２３に導くためのフラッパである。
【００６１】
切換フラッパ５１０によりノンソートパス５２１に導かれた用紙は、排出ローラ対５０９を介してサンプルトレイ７０１上に排紙される。ノンソートパス５２１の途中には、ジャム検出などのための排紙センサ５３３が設けられている。
【００６２】
切換フラッパ５１０によりソートパス５２２に導かれた用紙は、搬送ローラ５０６，５０７を介して中間トレイ（以下、処理トレイという）６３０上に積載される。中間トレイ６３０上に束状に積載された用紙は、必要に応じて整合処理、スティプル処理などが施された後に、排出ローラ６８０ａ，６８０ｂによりスタックトレイ７００上に排出される。処理トレイ６３０上に束状に積載された用紙を綴じるステイプル処理には、ステイプラ６０１が用いられる。また、スタックトレイ７００は、上下方向に自走可能に構成されている。
【００６３】
第１製本パス５５３、第２製本パス５５４からの用紙は、搬送ローラ対８１３によって収納ガイド８２０に収納され、さらに用紙先端が可動式のシート位置決め部材８２３に接するまで搬送される。搬送ローラ対８１３の上流側には、製本入口センサ８１７が配置されている。また、収納ガイド８２０の途中位置には、２対のステイプラ８１８が設けられており、このステイプラ８１８はそれに対向するアンビル８１９と協働して用紙束の中央を綴じるように構成されている。
【００６４】
ステイプラ８１８の下流位置には、折りローラ対８２６が設けられている。折りローラ対８１６の対向位置には、突出し部材８２５が設けられている。この突出し部材８２５を収納ガイド８２０に収納された用紙束に向けて突き出すことにより、この用紙束は折りローラ対８２６間に押し出され、この折りローラ対８２６によって折りたたまれた後に、折り紙排紙ローラ８２７を介してサドル排出トレイ８３２に排出される。折り紙排紙ローラ８２７の下流側には、製本排紙センサ８３０が配置されている。
【００６５】
また、ステイプラ８１８で綴じられた用紙束を折る場合には、ステイプル処理終了後に用紙束のステイプル位置が折りローラ対８２６の中央位置になるように、位置決め部材８２３を所定距離分下降させる。
【００６６】
インサータ９００は、フィニッシャ５００の上部に設けられ、トレイ９０１上に積載された表紙、合紙を成す用紙束を順次分離し、フィニッシャパス５５２、または製本パス５５３に搬送する。ここで、インサータ９００のトレイ９０１上には、特殊用紙が操作者から見て正視状態で積載される。すなわち、特殊用紙はその表面が上に向けられた状態でトレイ９０１上に積載される。
【００６７】
このトレイ９０１上の特殊用紙は、給紙ローラ９０２によって、搬送ローラ９０３および分離ベルト９０４からなる分離部に搬送され、最上位紙から１枚づつ順次分離されて搬送される。給紙ローラ９０２と搬送ローラ９０３との間には、レジストシャッタ９１０が設けられている。
【００６８】
この分離部下流側には引き抜きローラ対９０５が配置され、この引き抜きローラ対９０５により分離された特殊用紙は、安定して搬送パス９０８に導かれる。引き抜きローラ対９０５の下流側には給紙センサ９０７が設けられ、また給紙センサ９０７と入口ローラ対５０２との間には、搬送パス９０８上の特殊用紙を入口ローラ対５０２に導くための搬送ローラ９０６が設けられている。インサータ９００からの搬送パス９０８は、入口ローラ対５０２の上流で、折り装置４００からの搬送パスと合流する。
【００６９】
ここで、フィニッシャ５００および折り装置４００は、図４に示すように、所定の処理機能毎に複数のユニットに区分けすることが可能である。具体的には、用紙をサンプトレイ７０１上に積載するためのサンプルトレイユニット２０３０、パンチ５５０などから構成される、バインダに綴じるための穴を用紙の端部に開けるためのパンチャユニット２０４０、用紙の表表紙、裏表紙などの特殊用紙を用紙束中に挿入するためのインサータユニット２０５０、Ｚ折りするための折り機ユニット２０６０、用紙束の中心ラインを綴じた後に山折りにしてパンフレットのような綴じ形態を行う製本処理を行うためのサドルステッチャユニット２０７０の各ユニットに区分けすることが可能である。
【００７０】
本実施の形態は、上記ユニットの処理機能を有効、無効に設定し、その設定を検出するとともに、各ユニットの実装の有無を検出するユニット接続状態検出機能を有する。
【００７１】
このユニット接続状態検出機能の構成について図５ないし図８を参照しながら説明する。図５は図１の画像形成装置におけるユニット接続状態検出機能の構成を示すブロック図、図６はユニット接続状態検出機能の構成をさらに詳細に示すブロック図、図７はユニット接続状態検出機能におけるパンチャユニットに対する構成の詳細を示すブロック図、図８はユニット接続状態検出機能に用いられる判別テーブルを示す図である。
【００７２】
ユニット接続状態検出機能の機構は、図５に示すように、各ユニット２０３０〜２０７０の処理機能を有効または無効に設定するための機能切離ＳＷ部２０１０と、ユニット接続ＳＷ部２０２０と、各ユニット２０３０〜２０７０の処理機能が有効に設定されているか無効に設定されているかを検出する設定状態検出および各ユニット２０３０〜２０７０の実装の有無を検出する実装状態検出を行うコントローラ部２０００とを有する。ここで、コントローラ部２０００はフィニッシャ制御部５０１に含まれる。
【００７３】
機能切離ＳＷ部２０１０は信号ケーブル２０８０を介して各ユニット２０３０〜２０７０と接続され、コントローラ部２０００は信号ケーブル２０９０を介して各ユニット２０３０〜２０７０と接続される。信号ケーブル２０８０の各信号線は、ユニット接続ＳＷ部２０２０を通して各ユニット２０３０〜２０７０に至り、各ユニット２０３０〜２０７０を介して信号ケーブルの各信号線に接続される。ユニット接続ＳＷ部２０２０は、信号ケーブル２０８０とユニットを介して接続される信号ケーブル２０９０により形成される設定状態検出用信号経路を実装状態検出用信号経路として使用可能にするための切換動作を行う。このユニット接続ＳＷ部２０２０の切換動作はコントローラ部２０００から信号線２０２１を介して入力される制御信号により制御される。
【００７４】
このユニット接続状態検出機能における各ブロックの構成を詳細に説明すると、図６に示すように、機能切離ＳＷ部２０１０には、５極のデイップスイッチ２０１１が設けられ、デイップスイッチ２０１１は、各ユニット２０３０〜２０７０にそれぞれ対応する複数のスイッチＳＷ１〜ＳＷ５から構成されている。デイップスイッチ２０１１の各スイッチＳＷ１〜ＳＷ５においては、その一方の端子が信号ケーブル２０８０に含まれる信号線２０８１〜２０８５を介して各ユニット２０３０〜２０７０のコネクタ２０３１，２０４１，２０５１，２０６１，２０７１の一方の端子にそれぞれ接続され、他方の端子はグランドに接続されている。
【００７５】
各ユニット２０３０〜２０７０のコネクタ２０３１，２０４１，２０５１，２０６１，２０７１においては、その一方の端子と他方の端子とが内部接続され、その他方の端子は対応する信号ケーブル２０９０の信号線２０９１〜２０９５に接続される。これにより、各信号線２０９１〜２０９５は対応するコネクタ２０３１，２０４１，２０５１，２０６１，２０７１を介して対応する信号ケーブル２０８０の信号線２０８１〜２０８５に接続され、各信号線２０８１〜２０８５、信号線２０９１〜２０９５およびそれぞれを接続するコネクタ２０３１，２０４１，２０５１，２０６１，２０７１は、互いに協働して設定状態検出用信号経路を形成する。
【００７６】
ユニット接続ＳＷ部２０２０は、各信号線２０８１に一端が接続される抵抗Ｒ１、抵抗Ｒ１の他端にアノードが接続されるダイオードＤ１を有し、ダイオードＤ１のカソードはトランジスタＴｒのコレクタに接続される。トランジスタＴｒのエミッタはグランドに接続され、そのベースは信号線２０２１に接続される。同様に、各信号線２０８２〜２０８５に対して抵抗Ｒ２〜Ｒ５、ダイオードＤ２〜Ｄ５が接続され、各ダイオードＤ２〜Ｄ５のカソードはトランジスタＴｒのコレクタに接続される。トランジスタＴｒは、コントローラ部２０００から信号線２０２１を介して入力される制御信号に基づきオン、オフ動作を行い、オン動作により、デイップスイッチ２０１１の各スイッチＳＷ１〜ＳＷ５が無効にされて上記設定状態検出用信号経路が実装状態検出用信号経路として使用可能になるように切り換えられることになる。
【００７７】
コントローラ部２０００は、各個別ユニット検出回路２００１〜２００５と、ＣＰＵ２００９とを有する。各個別ユニット検出回路２００１〜２００５は、対応する信号線２０９１〜２０９５に接続され、対応する信号線２０９１〜２０９５から得られる信号に基づき各ユニット２０３０〜２０７０の処理機能に対する有効、無効の設定および各ユニット２０３０〜２０７０の実装の有無を検出する。
【００７８】
ここで、各個別ユニット検出回路２００１〜２００５の回路構成について個別ユニット検出回路２００２を例にして説明すると、個別ユニット検出回路２００２は、図７に示すように、コンパレータ２００７を有し、コンパレータ２００７は、信号線２０９２から入力された電圧と基準電源ＥＳ１からの基準電圧とを比較し、その比較に応じた信号を出力する。個別ユニット検出回路２００２においては、信号線２０９２に抵抗を介して定電圧電源Ｖｒが接続される。また、基準電源ＥＳ１の電圧は、後述する電圧Ｖｈ、電圧Ｖｍ、電圧Ｖｌに対して次の（１）式で示す関係を満足するように設定されている。
【００７９】
Ｖｈ＞ＥＳ１＞Ｖｍ＞Ｖｌ                                  …（１）
他の個別ユニット検出回路は、個別ユニット検出回路２００２と同じ構成を有し、その構成についての説明はここでは省略する。
【００８０】
ＣＰＵ２００９は、図６に示すように、各個別検出ユニット２００１〜２００５にそれぞれ接続される複数の入力ポートＰｉｎａ〜Ｐｉｎｅと、出力ポートＰｏｕｔとを有し、各個別ユニット検出回路２００１〜２００５から対応する入力ポートＰｉｎａ〜Ｐｉｎｅを介して入力される信号のレベルに基づき各ユニット２０３０〜２０７０に対する処理機能の有効、無効の設定を判別する。これにより、コントローラ部２０００は、処理機能が有効に設定されているユニットのみを用いた後処理を選択可能な後処理として設定する。
【００８１】
また、ＣＰＵ２００９は、各ユニット２０３０〜２０７０の実装状態検出を行う際には、出力ポートＰｏｕｔから信号線２０２１を介してトランジスタＴｒを駆動するための制御信号を出力する。具体的には、実装状態検出を行う際に、トランジスタＴｒをオン動作させるための制御信号を出力する。このトランジスタＴｒがオン動作すると、上述したように、上記設定状態検出用信号経路が実装状態検出用信号経路として使用可能になるように切り換えられ、各個別ユニット検出回路２００１〜２００５はこの実装状態検出用信号経路から得られる信号に基づき各ユニット２０３０〜２０７０の実装の有無を検出する。ＣＰＵ２００９は、この各個別ユニット検出回路２００１〜２００５による検出結果から各ユニット２０３０〜２０７０の実装の有無を判別することができる。
【００８２】
各ユニット２０３０〜２０７０には、電力で駆動される搬送モータ、ソレノイドなどの駆動源が含まれているユニットがある。このよう駆動源を含むユニットにおいては、機能の有効、無効の設定に応じて駆動源への電力供給を行う電力供給回路が設けられている。このような電力供給回路を有するユニットについてパンチャユニット２０４０を例にして説明すると、図７に示すように、パンチャユニット２０４０は、ＯＰアンプ２０４２を有し、ＯＰアンプ２０４２は、コネクタ２０４１を介して入力される信号の電圧と基準電圧ＥＳ２からの電圧を比較しこの比較結果に応じた信号を出力する。ここで、基準電圧ＥＳ２は、後述する電圧Ｖｍと電圧Ｖｌとに対して次の関係式（２）を満足するように設定されている。
【００８３】
Ｖｍ＞ＥＳ２＞Ｖｌ                                        …（２）
ＯＰアンプ２０４２からの出力信号は、制御信号としてスイッチ回路２０４３およびモータ２０４５への電力供給を行うためのＯＰアンプ２０４４に出力する。すなわち、ユニットが物理的に接続すなわちそのコネクタが各信号ケーブル２０８０，２０９０の信号線に接続されているときには、デイップスイッチ２０１１の対応するスイッチの操作による処理機の有効、無効の設定に応じて電力供給を制御するように構成されている。
【００８４】
次に、設定状態検出についてパンチャユニット２０４０を例にして図７を参照しながら説明する。ここで、まず物理的に接続されているパンチャユニット２０４０に故障などの不具合が発生し、パンチャユニット２０４０の処理機能を無効に設定する場合を想定する。この場合、機能切離ＳＷ部２０１０のデイップスイッチ２０１１のＳＷ２がオフされる。ここで、ユニット接続ＳＷ部２０２０のトランジスタＴｒはオフ動作状態にあるとすると、個別ユニット検出回路２００２には信号線２０９２を介して定電圧電源Ｖｒの電圧にほぼ等しい電圧Ｖｈが入力される。ここでは、基準電源ＥＳ１の電圧はこの電圧Ｖｈより小さく設定されている。個別ユニット検出回路２００２は、入力される基準電源ＥＳ１の電圧が入力された電圧Ｖｈより小さいときには、Ｈレベルの信号を出力する。ＣＰＵ２００９は、Ｈレベルの信号が入力されたことにより、パンチャユニット２０４０の処理機能が無効に設定されていると判別する。
【００８５】
これに対し、ユニット接続ＳＷ部２０２０のトランジスタＴｒはオフ動作状態にあって、機能切離ＳＷ部２０１０のデイップスイッチ２０１１のＳＷ２がオンされているときには、個別ユニット検出回路２００２には信号線２０９２を介してグランド電位にほぼ等しい電圧Ｖｌが入力される。ここでは、基準電源ＥＳ１の電圧はこの電圧Ｖｌより大きく設定されているから、個別ユニット検出回路２００２は、Ｌレベルの信号をＣＰＵ２００９に出力し、ＣＰＵ２００９はこのＬレベルの信号に基づきパンチャユニット２０４０の処理機能が有効に設定されていると判別する。
【００８６】
機能切離ＳＷ部２０１０のデイップスイッチ２０１１のスイッチＳＷ２がオフまたはオンでユニット接続ＳＷ部２０２０のトランジスタＴｒがオン動作している場合には、個別ユニット検出回路２００２には信号線２０９２を介して電圧Ｖｍが入力される。この電圧Ｖｍは、コントローラ回路部２０００の定電圧電源Ｖｒを接続する抵抗Ｒ１２とユニット接続ＳＷ部２０２０内の抵抗Ｒ２による分圧と、ダイオードＤ２のフォワード電圧とで決定される値である。ここでは、基準電源ＥＳ１の電圧はこの電圧Ｖｍより大きく設定されているから、個別ユニット検出回路２００２は、Ｌレベルの信号をＣＰＵ２００９に出力し、ＣＰＵ２００９はこのＬレベルの信号に基づきパンチャユニット２０４０が実装されていると判別する。このように、トランジスタＴｒがオンすると、スイッチＳＷ２のオン、オフに関係なく、パンチャユニット２０４０の実装の有無を検出、判別することができる。これに対し、パンチャユニットが物理的に接続されていないときには、個別ユニット検出回路２００２に入力される信号の電圧がＶｈになるから、ＣＰＵ２００９にはＨレベルの信号が入力され、ＣＰＵ２００９はこのＨレベルの信号に基づきパンチャユニット２０４０が実装されていないと判別する。
【００８７】
なお、他のユニットに対しても、パンチャユニット２０４０と同様に、その処理機能の有効、無効の設定を検出することができるとともに、実装状態の有無を検出することができる。
【００８８】
次に、パンチャユニット２０４０内の電力供給について図７を参照しながら説明する。ここで、パンチャユニット２０４０が物理的に接続されている状態にあってスイッチＳＷ２がオンされているときには、ＯＰアンプ２０４２にコネクタ２０４１を介して入力される電圧は、電圧Ｖｌになる。この電圧Ｖｌは基準電源ＥＳ２の電圧より小さいから、ＯＰアンプ２０４２からは、電力供給を指示するレベルの制御信号がスイッチ回路２０４３およびモータ２０４５への電力供給を行うためのＯＰアンプ２０４４に出力される。これ以外の場合すなわちスイッチＳＷ２がオフの場合、またはトランジスタＴｒがオン動作いてる場合には、ＯＰアンプ２０４２に入力される電圧が基準電源ＥＳ２の電圧より大きくなるから、電力供給停止を指示するレベルの制御信号がスイッチ回路２０４３およびＯＰアンプ２０４４に出力される。このように、処理機能が有効に設定されている場合のみにメイン電源ＶＭからの電力が供給されることになる。
【００８９】
次に、ＣＰＵ２００９による判別処理について図８を参照しながら説明をする。
【００９０】
ＣＰＵ２００９は、各個別ユニット検出回路２００１〜２００５の出力信号のレベルに基づき各ユニットの処理機能に対して有効または無効の設定、および実装の有無を判別する。この判別には、例えば図８に示すテーブルが用いられる。このテーブルにおいては、物理的にユニットが接続されている場合はユニット有無の欄を「有」と表現し、物理的にユニットが接続されていない場合はユニット有無の欄を「無」と表現する。また、各ユニットの処理機能を有効にする場合には、機能切離ＳＷ部の欄を「ＯＮ」と表現し、逆に無効にする場合は「ＯＦＦ」と表現する。さらに、ＣＰＵ２００９の出力ポートＰｏｕｔをＨに設定した場合には、ユニット接続の欄を「ＯＮ」と表現し、逆にＬに設定した場合には「ＯＦＦ」と表現する。
【００９１】
ＣＰＵ２００９は、まず処理機能の設定状態検出を行う。この設定状態検出では、ＣＰＵ２００９の出力ポートＰｏｕｔを「Ｌ」に設定し、ユニット接続ＳＷ部２０２０内のトランジスタＴｒがオフの状態で、ＣＰＵ２００９の各入力ポートＰｉｎａ〜Ｐｉｎｅの論理レベルを読み込む。
【００９２】
ここで例えば図６に示す接続状態において、サンプルトレイユニット２０３０に関しては、機能切離ＳＷ部２０１０内のディップスイッチ２０１１のＳＷ１が閉じた状態にあってかつサンプルトレイユニット２０３０内のコネクタ２０３１が接続状態にあるから、入力ポートＰｉｎａには、論理レベルとしては「Ｌ」が入力される。パンチャユニット２０４０に関しては、機能切離ＳＷ部２０１０内のディップスイッチ２０１１のスイッチＳＷ２が閉じた状態でかつパンチャユニット２０４０内のコネクタ２０４１が離間状態にあるから、入力ポートＰｉｎｂには、論理レベルとしては「Ｈ」が入力される。インサータユニット２０５０に関しては、機能切離ＳＷ部２０１０内のディップスイッチ２０１１のスイッチＳＷ３が閉じた状態でかつインサータユニット２０５０内のコネクタ２０５１が接続状態にあるから、入力ポートＰｉｎｃには、論理レベルとしては「Ｈ」が入力される。折り機ユニット２０６０に関しては、機能切離ＳＷ部２０１０内のディップスイッチ２０１１のスイッチＳＷ４がオープン状態でかつ折り機ユニット２０６０内のコネクタ２０６１が離間状態にあるから、入力ポートＰｉｎｄには、論理レベルとしては「Ｈ」が入力される。サドルステチャユニット２０７０に関しては、入力ポートＰｉｎａと同様に、入力ポートＰｉｎｅに論理レベルとして「Ｌ」が入力される。
【００９３】
次いで、各ユニットの実装状態検出が行われる。この実装状態を検出する際、ＣＰＵ２００９は出力ポートＰｏｕｔを「Ｈ」に設定し、ユニット接続ＳＷ部２０２０内のトランジスタＴｒをオン動作させる。そして、トランジスタＴｒがオン動作している状態で、ＣＰＵ２００９は、各入力ポートＰｉｎａ〜Ｐｉｎｅの論理レベルを読み込む。図６に示す接続状態の場合、サンプルトレイユニット２０３０に関しては、コネクタ２０３１が接続状態にあるから、入力ポートＰｉｎａには、論理レベルとして「Ｌ」が入力される。入力ポートＰｉｎｂには、パンチャユニット２０４０内のコネクタ２０４１が離間状態にあるから、論理レベルとしては「Ｈ」が入力される。入力ポートＰｉｎｃには、インサータユニット２０５０内のコネクタ２０５１が接続状態にあるから、論理レベルとしては「Ｌ」が入力される。入力ポートＰｉｎｄには、折り機ユニット２０６０内のコネクタ２０６１が離間状態にあるので、論理レベルとしては「Ｈ」が入力される。入力ポートＰｉｎｅには、入力ポートＰｉｎａと同様に、論理レベルとして「Ｌ」が入力される。
【００９４】
そして、ＣＰＵ２００９は、処理機能の設定状態に関する検出結果および実装状態に関する検出結果と図８に示すテーブルとを照合することによって、サンプルトレイユニット２０３０、パンチャユニット２０４０、インサータユニット２０５０、折り機ユニット２０６０、サドルステッチャユニット２０７０の各ユニットの実装の有無、処理機能の有効、無効の設定を判別する。
【００９５】
ここで、上記図６に示す接続状態に対する検出結果からは、サンプルトレイユニット２０３０に関しては、「ユニット有、機能有効」と判別される。パンチャユニット２０４０に関しては「ユニット無」と判別される。インサータユニット２０５０に関しては、「ユニット有、機能無効」と判別される。折り機ユニット２０６０に関しては、「ユニット無」と判別される。サドルステッチャユニット２０７０に関しては、「ユニット有、機能有効」と判別される。
【００９６】
以上より、各ユニットの処理機能の有効、無効の設定の検出に用いられる設定状態検出用信号経路が実装状態検出用信号経路として使用可能になるように切り換えられるから、ユニットの数の増加に起因するコストアップを招くことなく、ユニットに対する処理機能の有効、無効の設定および実装状態の検出を行うことができる。
【００９７】
【発明の効果】
以上説明したように、本発明によれば、付属装置の数の増加に起因するコストアップを招くことなく、付属装置に対する処理機能の有効、無効の設定および実装状態の検出を行うことができる。
【図面の簡単な説明】
【図１】本発明の後処理装置の実施の一形態を含む画像形成装置の全体構成を示す模式図である。
【図２】図１の画像形成装置全体の制御を司るコントローラの構成を示すブロック図である。
【図３】図１の折り装置４００およびフィニッシャ５００の構成を示す図である。
【図４】図１の折り装置４００およびフィニッシャ５００を処理機能毎に複数のユニット分割した例を示す図である。
【図５】図１の画像形成装置におけるユニット接続状態検出機能の構成を示すブロック図である。
【図６】ユニット接続状態検出機能の構成をさらに詳細に示すブロック図である。
【図７】ユニット接続状態検出機能におけるパンチャユニットに対する構成の詳細を示すブロック図である。
【図８】ユニット接続状態検出機能に用いられる判別テーブルを示す図である。
【図９】従来の後処理装置における実装状態検出回路、機能切離機構および設定状態検出回路の構成を示すブロック図である。
【符号の説明】
４００  折り装置
５００  フィニッシャ
１０００  画像形成装置
２０００  コントローラ部
２００１〜２００５  個別ユニット検出回路
２００９  ＣＰＵ
２０１０  機能切離ＳＷ部
２０１１  デイップスイッチ
２０２０  ユニット接続ＳＷ部
２０３０  サンプルトレイユニット
２０３１，２０４１，２０５１，２０６１，２０７１  コネクタ
２０４０  パンチャユニット
２０５０  インサータユニット
２０６０  折り機ユニット
２０７０  サドルステッチャユニット
２０８０，２０９０  信号ケーブル
２０８１〜２０８５，２０９１〜２０９５  信号線
２０４２  ＯＰアンプ
【図１】
0004323626.tif 000002
【図２】
0004323626.tif 000003
【図３】
0004323626.tif 000004
【図４】
0004323626.tif 000005
【図５】
0004323626.tif 000006
【図６】
0004323626.tif 000007
【図７】
0004323626.tif 000008
【図８】
0004323626.tif 000009
【図９】
0004323626.tif 000010